(57)【特許請求の範囲】
【請求項１】
苗載台（１２）の下部にスライドピース（２６）を固着し、前記苗載台（１２）の下方に設けたアルミニウム製の引抜き成形体からなるエプロン（１８）に板材からなる耐磨耗性部材（２９）を取付けると共に、該耐磨耗性部材（２９）と前記スライドピース（２６）に形成した摺動面（Ｓ）を介して、前記苗載台（１２）を左右往復横送り可能にエプロン（１８）によって支持した移植機において、前記エプロン（１８）に耐磨耗性部材（２９）を取付けるにあたり、前記エプロン（１８）の上部に長手方向に連続する溝状の凹嵌部（１８ｂ）を形成し、前記耐摩耗性部材（２９）の非摺動面（Ｓ１）側には複数の凸状部（２９ａ）を設け、前記溝状の凹嵌部（１８ｂ）に複数の凸状部（２９ａ）を嵌装して、エプロン（１８）と耐磨耗性部材（２９）との位置決めをなすと共に、前記エプロン（１８）の溝状の凹嵌部（１８ｂ）の底部にタッピンネジ（３１）を用いて前記耐磨耗性部材（２９）を取付けるように構成したことを特徴とする移植機。
【発明の詳細な説明】
【０００１】
【発明の属する技術分野】
本発明は、左右往復横送りされる苗載台を、その下方に設けたエプロンで支持する構成の移植機に関するものである。
【０００２】
【従来の技術】
従来、田植機等の移植機においては、左右往復横送りされる苗載台からエプロン上に送り出された苗を、植付爪を有するプランタで掻取りながら圃場に移植するようにしたものが知られている。
そして、前記苗載台は、その下部に取付けた樹脂製スライドピース（摺動片）によって、前記エプロン上で左右往復動自在に支持されている。
【０００３】
ところが、前記エプロンには、機体の軽量化や成形コスト等を考慮してアルミニウム製の引抜き成形体を採用しており、移植作業中、前記エプロン上に泥水や小石等が付着して排除されないと、前記エプロン自体が軟質材料であることから、該エプロンのスライドピースとの摺動面が傷付き易く、それによって、前記苗載台の横送り抵抗が増大して当該横送り機構を構成するスクリューシャフト等を破損する問題が発生していた。
【０００４】
【発明が解決しようとする課題】
そこで、前記エプロンとスライドピースとの摺動面にプレート状の耐磨耗性部材を介装することによって、前記摺動面の傷付きを抑制するようにしたものが提案されているが、このものは、前記耐磨耗性部材をエプロンに対しリベット止めする構成のものであって、その位置決めが困難で、しかも当該耐磨耗性部材をメンテナンス等のために交換する際は、前記リベットをいちいち取り外さなければならず作業性に問題があった。
【０００５】
【課題を解決するための手段】
本発明は、上記課題を解決することを目的として創案したものであって、苗載台の下部にスライドピースを固着し、前記苗載台の下方に設けたアルミニウム製の引抜き成形体からなるエプロンに板材からなる耐磨耗性部材を取付けると共に、該耐磨耗性部材と前記スライドピースに形成した摺動面を介して、前記苗載台を左右往復横送り可能にエプロンによって支持した移植機において、前記エプロンに耐磨耗性部材を取付けるにあたり、前記エプロンの上部に長手方向に連続する溝状の凹嵌部を形成し、前記耐摩耗性部材の非摺動面側には複数の凸状部を設け、前記溝状の凹嵌部に複数の凸状部を嵌装して、エプロンと耐磨耗性部材との位置決めをなすと共に、前記エプロンの溝状の凹嵌部の底部にタッピンネジを用いて前記耐磨耗性部材を取付けるように構成したことを特徴としている。
【０００７】
【発明の実施の形態】
本発明の一実施形態を図面に基づいて説明する。図１〜図３において、１は移植機の一例である乗用型田植機であって、該乗用型田植機１の走行機体２を前輪３と後輪４によって支持すると共に、前記走行機体２の後方上部には運転席５を載置し、その前方には操作パネル６を装備し、該操作パネル６の上部には運転ハンドル７、その下方には操作部床面を形成するステップ８が設けられている。
そして、前記走行機体２の前側には、図示しないエンジン等を被包するボンネット９が設けられている。
また、前記走行機体２の後部には、リンク機構１０を介して植付作業部１１を昇降自在に装着している。この植付作業部１１は、前方に傾斜して設けられた苗載台１２と、該苗載台１２に保持されている苗を植え付ける複数のプランタ１３等を有し、該プランタ１３の下方には植付田面を整地するフロート１４を設けているが、これらの基本構成は何れも従来通りである。
【０００８】
更に詳しく説明すると、前記リンク機構１０の後端には、昇降ホルダ１５が取付けられると共に、該昇降ホルダ１５の下部には、走行機体２の幅方向に向けた植付フレーム１６を延設している。
そして、前記植付フレーム１６には、植付爪１３ａ，１３ａを備えたプランタ１３を作動させるチェン伝動機構を内装したプランタケース１７を、走行機体２の幅方向に所定間隔で取付けてある。
ところで、図３において、二点鎖線の矢印で示したものは、前記植付爪１３ａの掻取り（植付）軌跡である。
また、前記植付フレーム１６の上方に、左右往復横送りされる苗載台１２を前高後低状に配設してあり、該苗載台１２の横移動に連繋して植付爪１３ａ，１３ａを作動させることによって、前記苗載台１２からエプロン１８上に送り出された苗を掻取って圃場に植付けるようになっている。
尚、１９は、前記プランタケース１７を植付フレーム１６に取付けるための取付けブラケットである。
【０００９】
そして、上述したプランタケース１７の略中央上部は、図３に示すように、傾斜支持面１７ａを有する突出形状に形成してあり、該傾斜支持面１７ａには、前記エプロン１８を横設固定するためのブラケット２０を取付けている。
また、前記エプロン１８は、アルミニウム製の引抜き成形体であって、該エプロン１８には、前記プランタケース１７の傾斜支持面１７ａと直交するＴ溝１８ａが形成してあり、該Ｔ溝１８ａにボルト２１を嵌挿すると共に圧縮スプリング２２を介して、前記エプロン１８がブラケット２０に対して圧接状態となるようにロックナット２３，２４で固定してある。
そして、図示しない掻取り量調節レバーを段階的に操作し、前記傾斜支持面１７ａに沿ってエプロン１８を上下動させることによって、前記植付爪１３ａによる苗の掻取り量が調節できるようにしてある。
【００１０】
また、前記苗載台１２の裏面側下部において、該苗載台１２に側面視で略Ｌ字状の支持部材２５を一体的に取着すると共に、下方に向け断面が略凹状の複数個の樹脂製スライドピース（摺動片）２６を、ボルト２７、ナット２８によって取付けてある。
そして、図３〜図５に示すように、前記エプロン１８の上部には、断面Ｌ字状のステンレス等の硬質板材からなる耐磨耗性部材２９を、前記苗載台１２の幅方向に亘って複数枚に分割して取付けてある。
更に詳しくは、前記エプロン１８の上部に取付けた耐磨耗性部材２９は、前記スライドピース（摺動片）２６の凹状部に嵌装した状態で形成された両者（２９，２６）の摺動面（Ｓ）によって、前記苗載台１２を滑らかに左右往復横送りできるように構成してある。
【００１１】
次に、前記耐磨耗性部材２９をエプロン１８に取付ける際の作業手順について以下説明する。
前記エプロン１８の上部には、その長手方向（苗載台１２の幅方向）に連続する溝状の凹陥部１８ｂが形成してあり、一方耐磨耗性部材２９の非摺動面Ｓ１側には、前記エプロン１８の凹陥部１８ｂに嵌装すべく複数の円形凸状部２９ａを設けている。
そして、前記エプロン１８の凹陥部１８ｂに耐磨耗性部材２９の円形凸状部２９ａを嵌装することによって、両者１８，２９の位置決め嵌装部３０・・となし、次いで前記耐磨耗性部材２９の円形凸状部２９ａと同軸状に穿孔した下穴と、この下穴に対応して予め穿孔してなるエプロン１８側の下穴に、螺合部材として採用したタッピンネジ３１を螺挿することによって、前記耐磨耗性部材２９をエプロン１８に取付け固定するように構成している。
【００１２】
即ち、上述したエプロン１８と耐磨耗性部材２９間に構成した位置決め嵌装部３０・・によって、前記エプロン１８に耐磨耗性部材２９を取付ける際の前後方向の位置決めが極めて簡単になされ、しかも当該耐磨耗性部材２９をメンテナンス等のために取外す必要がある時は、螺合部材であるタッピンネジ３１を緩めて取外せばよいので、従来のようなリベット止めの構成のものと比べ、短時間での耐磨耗性部材２９の着脱作業が可能となる。
【００１４】
尚、図４に示すように、前記耐磨耗性部材２９側の非摺動面Ｓ１側に形成した円形凸状部２９ａの摺動面Ｓ側（裏側）形状は、逆に円形凹部２９ｂとなっており、該円形凹部２９ｂに前記タッピンネジ３１の頭部３１ａが収容されるので、前記スライドピース（摺動片）２６と耐磨耗性部材２９との摺動面Ｓにタッピンネジ３１の頭部３１ａが突出することはなく、しかも、前記円形凹部２９ｂは、前記スライドピース（摺動片）２６と耐磨耗性部材２９との摺動面に塗布するグリスのグリス溜まりとしても作用することから、前記苗載台１２の左右往復横送りの繰返しによる早期のグリス切れは起こり難くなり、それによって前記苗載台１２のスムーズな左右往復横送りがなされる。
【００１５】
【発明の効果】
以上のように構成した本発明によると、苗載台１２の下部にスライドピース２６を固着し、前記苗載台１２の下方に設けたアルミニウム製の引抜き成形体からなるエプロン１８に板材からなる耐磨耗性部材２９を取付けると共に、該耐磨耗性部材２９と前記スライドピース２６に形成した摺動面Ｓを介して、前記苗載台１２を左右往復横送り可能にエプロン１８によって支持した移植機において、前記エプロン１８に耐磨耗性部材２９を取付けるにあたり、前記エプロン１８の上部に長手方向に連続する溝状の凹嵌部１８ｂを形成し、前記耐摩耗性部材２９の非摺動面Ｓ１側には複数の凸状部２９ａを設け、前記溝状の凹嵌部１８ｂに複数の凸状部２９ａを嵌装して、エプロン１８と耐磨耗性部材２９との位置決めをなすと共に、前記エプロン１８の溝状の凹嵌部１８ｂの底部にタッピンネジ３１を用いて前記耐磨耗性部材２９を取付けるように構成したことによって、前記エプロン１８に耐磨耗性部材２９を取付ける際の前後方向の位置決めが極めて簡単になされ、しかも当該耐磨耗性部材２９をメンテナンス等のために取外す必要がある時は、螺合部材であるタッピンネジ３１を緩めて取外せばよいので、従来のようなリベット止めの構成のものと比べ、短時間での耐磨耗性部材２９の着脱作業が可能となる。
【００１６】
また、前記スライドピース（摺動片）２６と耐磨耗性部材２９の摺動面に螺合部材３１が突出することもなく、それによって前記苗載台１２のスムーズな左右往復横送りがなされる。
【図面の簡単な説明】
【図１】乗用型田植機の全体側面図である。
【図２】植付作業部の側面図である。
【図３】エプロンの取付け状態を示す側面図である。
【図４】（Ａ）エプロンと耐磨耗性部材の取付け状態を示す平面図である。
（Ｂ）同上断面図である。
【図５】エプロンに耐磨耗性部材を取付ける際の手順を示す斜視図である。
【符号の説明】
１２    苗載台
１８    エプロン
１８ｂ  凹陥部
１８ｃ  凹陥部
２６    スライドピース
２９    耐磨耗性部材
２９ａ  凸状部
３０  嵌装部
３１  螺合部材
Ｓ    摺動面
Ｓ１  非摺動面
【図１】
0004036674.tif 000002
【図２】
0004036674.tif 000003
【図３】
0004036674.tif 000004
【図４】
0004036674.tif 000005
【図５】
0004036674.tif 000006